(57)【特許請求の範囲】
【請求項１】
通信網を介して接続された電話端末と電話帳管理装置とを含み、
前記電話端末は、
操作入力された１桁以上の電話番号からなる検索キー情報を含む検索要求を前記電話帳管理装置へ送信する検索要求部と、
前記検索要求に応じて当該電話帳管理装置から受信した検索結果に含まれる相手先電話番号の相手先名前を、当該電話端末で画面表示する検索結果表示部と
を備え、
前記電話帳管理装置は、
相手先電話番号ごとに、当該相手先名前と当該相手先電話番号の検索優先度とを記憶する電話帳データベースと、
前記電話端末からの検索要求に応じて、当該検索要求に含まれている検索キー情報に該当する相手先電話番号を前記電話帳データベースから検索し、得られた相手先電話番号のうち当該検索優先度の高いものから順に指定数だけ選択し、選択した相手先電話番号と当該相手先名前とを前記検索結果として当該電話端末へ送信する検索処理部と
を備え、
前記電話端末は、当該電話端末から発信した相手先電話番号ごとに当該相手先電話番号へ発信した発信回数を計数し、発信履歴情報として記憶部へ保存する履歴処理部をさらに備え、
前記検索結果表示部は、前記相手先名前を表示する際、前記発信履歴情報から得たそれぞれの相手先電話番号の発信回数の多い順に表示する
ことを特徴とする電話番号検索システム。
【請求項２】
電話端末の検索要求部が、操作入力された１桁以上の電話番号からなる検索キー情報を含む検索要求を電話帳管理装置へ送信する検索要求ステップと、
前記電話帳管理装置の電話帳データベースが、相手先電話番号ごとに、当該相手先名前と当該相手先電話番号の検索優先度とを記憶する記憶ステップと、
前記電話帳管理装置の検索処理部が、前記電話端末からの検索要求に応じて、当該検索要求に含まれている検索キー情報に該当する相手先電話番号を前記電話帳データベースから検索し、得られた相手先電話番号のうち当該検索優先度の高いものから順に指定数だけ選択し、選択した相手先電話番号と当該相手先名前とを検索結果として当該電話端末へ送信する検索処理ステップと、
前記電話端末の検索結果表示部が、前記検索要求に応じて当該電話帳管理装置から受信した前記検索結果に含まれる相手先電話番号の相手先名前を、当該電話端末で画面表示する検索結果表示ステップと、
電話端末の履歴処理部が、当該電話端末から発信した相手先電話番号ごとに当該相手先電話番号へ発信した発信回数を計数し、発信履歴情報として記憶部へ保存する履歴処理ステップと
を備え、
前記検索結果表示ステップは、前記相手先名前を表示する際、前記発信履歴情報から得たそれぞれの相手先電話番号の発信回数の多い順に表示する
ことを特徴とする電話番号検索方法。
【発明の詳細な説明】
【技術分野】
【０００１】
本発明は、電話技術に関し、特に電話帳データベースから相手先電話番号を検索して発信者へ提供する電話番号検索技術に関する。
【背景技術】
【０００２】
電話装置の多くは、入力された相手先の名前の一部に基づいて、電話帳データベースから該当する相手先電話番号を検索する電話番号検索機能、いわゆる電話帳機能を有している。
従来、このような電話番号検索技術として、相手先電話番号を検索する際、日本語変換機能を利用してダイヤル操作により相手先名前の漢字または仮名を、１文字ずつ入力するごとに候補となる相手先の名前を表示するものが提案されている（例えば、特許文献１など参照）。
【先行技術文献】
【特許文献】
【０００３】
【特許文献１】特開２０００−２８６９４９号公報
【発明の概要】
【発明が解決しようとする課題】
【０００４】
このような従来技術では、相手先の名前を漢字または仮名で１文字ずつ入力するごとに候補が絞られていくため、所望の相手先電話番号を容易に判別することができる。しかしながら、相手先の名前を入力するために、日本語変換機能を利用する必要があることから、携帯電話端末のように高度な日本語変換機能を備えていないビジネスホンシステムなどの内線電話端末では、漢字・仮名入力操作が複雑化して煩わしく、結果として電話番号検索機能が有効利用されないという問題点があった。
【０００５】
また、ビジネスシーンで用いられる電話システムでは、組織やフロア、さらには建物や事業所ごとに、内線電話番号の上位桁が一致する場合が多い。また、外線電話番号は、市外地域や市内地域に応じて番号計画されている。したがって、ビジネスシーンでは、発信時に、相手先電話番号のすべてを思い出すことができないものの、途中まで電話番号が分かる場合が多い。
また部署、会議室、応接室など、同種の部署や部屋が並設されている場合、部署や部屋の番号の順に内線電話番号が付与されている場合が多く、内線電話番号の上位桁がある程度予想できるものの、例えば、「第１東京営業課」や「東京第１営業課」など、当該部署や部屋の正確な名前が分からずに、電話帳で検索できない場合や検索を繰り返し行う必要がある場合もある。
【０００６】
本発明はこのような課題を解決するためのものであり、簡単な操作で相手先の電話番号を効率よく検索できる電話番号検索技術を提供することを目的としている。
【課題を解決するための手段】
【０００７】
このような目的を達成するために、本発明にかかる電話番号検索システムは、通信網を介して接続された電話端末と電話帳管理装置とを含み、電話端末は、操作入力された１桁以上の電話番号からなる検索キー情報を含む検索要求を電話帳管理装置へ送信する検索要求部と、検索要求に応じて当該電話帳管理装置から受信した検索結果に含まれる相手先電話番号の相手先名前を、当該電話端末で画面表示する検索結果表示部とを備え、電話帳管理装置は、相手先電話番号ごとに、当該相手先名前と当該相手先電話番号の検索優先度とを記憶する電話帳データベースと、電話端末からの検索要求に応じて、当該検索要求に含まれている検索キー情報に該当する相手先電話番号を電話帳データベースから検索し、得られた相手先電話番号のうち当該検索優先度の高いものから順に指定数だけ選択し、選択した相手先電話番号と当該相手先名前とを検索結果として当該電話端末へ送信する検索処理部とを備え、電話端末に、当該電話端末から発信した相手先電話番号ごとに当該相手先電話番号へ発信した発信回数を計数し、発信履歴情報として記憶部へ保存する履歴処理部をさらに備え、検索結果表示部で、相手先名前を表示する際、発信履歴情報から得たそれぞれの相手先電話番号の発信回数の多い順に表示するようにしたものである。
【００１０】
また、本発明にかかる電話番号検索方法は、電話端末の検索要求部が、操作入力された１桁以上の電話番号からなる検索キー情報を含む検索要求を電話帳管理装置へ送信する検索要求ステップと、電話帳管理装置の電話帳データベースが、相手先電話番号ごとに、当該相手先名前と当該相手先電話番号の検索優先度とを記憶する記憶ステップと、電話帳管理装置の検索処理部が、電話端末からの検索要求に応じて、当該検索要求に含まれている検索キー情報に該当する相手先電話番号を電話帳データベースから検索し、得られた相手先電話番号のうち当該検索優先度の高いものから順に指定数だけ選択し、選択した相手先電話番号と当該相手先名前とを検索結果として当該電話端末へ送信する検索処理ステップと、電話端末の検索結果表示部が、検索要求に応じて当該電話帳管理装置から受信した検索結果に含まれる相手先電話番号の相手先名前を、当該電話端末で画面表示する検索結果表示ステップと、電話端末の履歴処理部が、当該電話端末から発信した相手先電話番号ごとに当該相手先電話番号へ発信した発信回数を計数し、発信履歴情報として記憶部へ保存する履歴処理ステップとを備え、前記検索結果表示ステップが、前記相手先名前を表示する際、前記発信履歴情報から得たそれぞれの相手先電話番号の発信回数の多い順に表示するようにしたものである。
【発明の効果】
【００１３】
本発明によれば、相手先電話番号の一部の電話番号を入力するだけで、これに該当する相手先電話番号が検索されて画面表示される。この際、電話端末１０の発信履歴情報に基づいて、発信回数の多い順に並び替えて、相手先の名前により画面表示される。このため、相手先の名前を漢字または仮名で入力することなく、ダイヤルキー操作という極めて簡単な操作で所望の相手先電話番号を検索できるとともに、その検索結果として使用頻度の高い順に相手先の名前により画面表示されるため、検索結果に含まれる複数の相手先のうちから、極めて容易に所望の相手先を特定することができる。
【図面の簡単な説明】
【００１４】
【図１】第１の実施の形態にかかる電話番号検索システムの構成を示すブロック図である。
【図２】発信履歴情報の構成例である。
【図３】電話帳ＤＢの構成例である。
【図４】第１の実施の形態にかかる電話番号検索システムの動作を示すシーケンス図である。
【図５】検索結果の構成例である。
【図６】検索結果の画面表示例である。
【図７】第２の実施の形態にかかる電話番号検索システムの構成を示すブロック図である。
【図８】電話帳ＤＢの他の構成例である。
【図９】第２の実施の形態にかかる電話番号検索システムの動作を示すシーケンス図である。
【図１０】検索結果の構成例である。
【図１１】検索結果の画面表示例である。
【発明を実施するための形態】
【００１５】
次に、本発明の実施の形態について図面を参照して説明する。
［第１の実施の形態］
まず、図１を参照して、本発明の第１の実施の形態にかかる電話番号検索システムについて説明する。図１は、第１の実施の形態にかかる電話番号検索システムの構成を示すブロック図である。
【００１６】
この電話番号検索システムは、通信網５０に接続された１つ以上の電話端末１０と、電話帳データベースを管理し、電話端末１０からの電話番号検索要求に応じて、該当する相手先電話番号を電話帳ＤＢから検索し、その検索結果を要求元電話端末１０へ返送する電話帳管理装置２０とから構成されている。
【００１７】
本実施の形態は、電話端末１０で、操作入力された１桁以上の電話番号からなる検索キー情報を含む検索要求を電話帳管理装置２０へ送信し、電話帳管理装置２０で、この検索要求に応じて、当該検索要求に含まれている検索キー情報に該当する相手先電話番号を、当該検索優先度の高いものから順に指定数だけ検索し、得られた相手先電話番号と当該相手先名前とを検索結果として当該電話端末１０へ送信し、電話端末１０で、この検索結果に含まれる相手先電話番号の相手先名前を、当該電話端末１０の画面表示部で表示するようにしたものである。
【００１８】
次に、図１を参照して、本実施の形態にかかる電話番号検索システムの構成について詳細に説明する。本発明では、電話端末１０がＩＰ電話端末からなり、インターネットなどの通信網５０に接続されている呼制御装置３０を用いて、電話端末１０間で通信網５０を介した内線通話を行うとともに、通信網５０に接続された電話端末１０以外の電話端末（図示せず）と外線通話を行うＩＰ電話システムを前提として説明する。
【００１９】
［電話端末］
電話端末１０には、主な機能部として、電話機能部１１、履歴処理部１２、検索要求部１３、および検索結果表示部１４が設けられている。
電話機能部１１は、発信時に呼制御装置３０や相手先電話端末との間で各種呼制御メッセージをやり取りすることにより、相手先電話端末との間で音声通話を確立し、終話時に相手先電話端末との間で各種呼制御メッセージをやり取りすることにより、相手先電話端末との間の音声通話を切断する機能を有している。この電話機能部１１については、例えばＳＩＰ（Session Initiation Protocol）やＩＴＵ−Ｔ標準Ｈ．３２３など、公知の呼制御技術を用いればよい。
【００２０】
履歴処理部１２は、電話機能部１１から得られる処理情報に基づいて、電話端末１０から発信した相手先電話番号ごとに当該相手先電話番号へ発信した発信回数を計数し、発信履歴情報として記憶部へ保存する機能を有している。
図２は、発信履歴情報の構成例である。ここでは、相手先電話番号と当該相手先電話番号の発信回数とが組として登録されている。
【００２１】
検索要求部１３は、操作入力された１桁以上の電話番号からなる検索キー情報を含む検索要求を、電話帳管理装置２０へ送信する機能を有している。
検索結果表示部１４は、検索要求部１３から送信した検索要求に応じて、電話帳管理装置２０から受信した検索結果に含まれる相手先電話番号の相手先名前を、履歴処理部１２で記憶部に保存した発信履歴情報から得たそれぞれの相手先電話番号の発信回数の多い順に、当該電話端末１０の画面表示部で表示する機能を有している。
電話端末１０と電話帳管理装置２０との間やり取りされる検索要求や検索結果については、例えばＨＴＴＰなど、公知の通信プロトコルを利用してやり取りすればよい。
【００２２】
電話端末１０のこれら機能部は、ＣＰＵなどのマイクロプロセッサとその周辺回路を有し、記憶部から読み込んだプログラムを実行することにより、各種処理を実行する演算処理部で実現してもよい。
また、電話端末１０には、これら機能部のほか、一般的なＩＰ電話端末が持つ各種機能部が設けられている。これら機能部としては、ダイヤルボタン・カーソルボタン・検索ボタンなどの操作入力部、マイク、スピーカ、ＬＣＤなどの画面表示部、通信インターフェース部、記憶部などがある。
【００２３】
［電話帳管理装置］
電話帳管理装置２０は、全体としてサーバ装置などの情報処理装置からなり、主な機能部として、検索処理部２１と電話帳データベース（以下、電話帳ＤＢという）２２が設けられている。
検索処理部２１は、電話端末１０からの検索要求に応じて、当該検索要求に含まれている検索キー情報に該当する相手先電話番号を電話帳ＤＢ２２から検索する機能と、得られた相手先電話番号のうち当該検索優先度の高いものから順に指定数だけ選択する機能と、選択した相手先電話番号と当該相手先名前とを検索結果として当該電話端末１０へ送信する機能とを有している。
【００２４】
電話帳ＤＢ２２は、ハードディスクなどの記憶装置からなり、相手先電話番号ごとに、当該相手先名前と当該相手先電話番号の検索優先度とを記憶する機能を有している。
図３は、電話帳ＤＢの構成例である。ここでは、相手先電話番号、当該相手先電話番号の相手先名前、および当該相手先電話番号の検索優先度が組として登録されている。この電話帳ＤＢ２２で記憶する相手先電話番号と相手先名前は、利用者による登録操作に応じて電話端末１０から送信された登録要求に基づき登録される。また、検索優先度は、電話端末１０のうちの１つである管理者用の電話端末１０、あるいは管理用のＰＣ端末から、予め登録されている。電話帳ＤＢ２２には、これら相手先電話番号ごとに、相手先名前や検索優先度のほか、例えば相手先会社名や部署など、相手先に関する情報を登録してもよい。
【００２５】
なお、検索優先度は、呼制御装置３０での発信処理に関する発信処理結果に基づき、電話帳管理装置２０で自動更新してもよい。例えば、電話帳管理装置２０が、呼制御装置３０から送信された発信処理結果を受信して、この発信処理結果に含まれている相手先電話番号に基づき、各電話端末１０から発信された発信回数合計を相手先電話番号ごとに算出し、この発信回数合計の多いものから順に高い検索優先度を各相手先電話番号に設定してもよい。
【００２６】
［第１の実施の形態の動作］
次に、図４を参照して、本実施の形態にかかる電話番号検索システムの動作について説明する。図４は、第１の実施の形態にかかる電話番号検索システムの動作を示すシーケンス図である。ここでは、「Ｅさん」の電話端末１０により、先頭に内線ダイヤル番号「２０」を含む電話番号検索操作が行われた場合を例として説明する。
【００２７】
電話端末１０の電話機能部１１は、利用者操作に応じて入力されたダイヤル番号「２」を取得するとともに（ステップ１００）、続くダイヤル番号「０」を取得する（ステップ１０１）。その後、検索ボタンによる検索開始操作に応じて（ステップ１０２）、検索要求部１３は、これらダイヤル番号「２０」からなる検索キー情報と、予め記憶部に設定されている検索要求件数「４」とを含む検索要求を、通信網５０を介して電話帳管理装置２０へ送信する（ステップ１０３）。
【００２８】
電話帳管理装置２０の検索処理部２１は、通信網５０を介して電話端末１０から検索要求を受信した場合、当該検索要求に含まれている検索キー情報「２０」が先頭に位置する相手先電話番号を、電話帳ＤＢ２２から検索する（ステップ１０４）。
図３の例では、検索キー情報「２０」が先頭に位置する相手先電話番号として「２００１」，「２００２」，「２００３」，「２００４」，「２００５」，「２０１０」の合わせて６件が、電話帳ＤＢ２２から検索される。
【００２９】
この後、検索処理部２１は、得られた相手先電話番号のうち、当該検索要求に含まれている検索要求件数分を選択し（ステップ１０５）、選択した相手先電話番号と当該相手先電話番号の相手先名前との組からなる検索結果を、通信網５０を介して電話端末１０へ送信する（ステップ１０６）。
図５は、検索結果の構成例である。ここでは、ステップ１０４で検索された「２００１」，「２００２」，「２００３」，「２００４」，「２００５」，「２０１０」のうちから、発信回数の多い４件の相手先電話番号「２００１」，「２００２」，「２００３」，「２００４」が選択されている。
【００３０】
電話端末１０の検索結果表示部１４は、通信網５０を介して電話帳管理装置２０から受信した検索結果に含まれる各相手先電話番号を、履歴処理部１２で生成され記憶部に登録されている発信履歴情報に基づいて、それぞれの相手先電話番号の発信回数の多い順に並び替え（ステップ１０７）、得られた表示順序に応じて検索結果に含まれる各相手先電話番号の相手先名前を画面表示部で表示する（ステップ１０８）。
図６は、検索結果の画面表示例である。図２のような発信履歴情報が電話端末１０の記憶部に登録されている場合、「２００１」，「２００２」，「２００３」，「２００４」の発信回数「２３」，「５」，「１６」，「９」の多い順序で並び替えが行われ、「２００１」，「２００３」，「２００４」，「２００２」の順に画面表示されている。
【００３１】
したがって、この画面表示を用いて特定の相手先へ発信する場合には、例えば電話端末１０のカーソルキーを操作して発信相手先を選択し、オフフック操作や発信ボタン操作などの通常の発信操作を行えばよい。これにより、電話機能部１１により、表示画面上のカーソル位置と対応する相手先電話番号を発信相手先として指定した発信メッセージが、通信網５０を介して呼制御装置３０へ送信される。
【００３２】
［第１の実施の形態の効果］
このように、本実施の形態によれば、電話端末１０により、操作入力された１桁以上の電話番号からなる検索キー情報を含む検索要求が電話帳管理装置２０へ送信され、電話帳管理装置２０により、この検索要求に応じて、当該検索要求に含まれている検索キー情報に該当する相手先電話番号が電話帳ＤＢ２２から検索されて、得られた相手先電話番号のうち当該検索優先度の高いものから順に指定数だけ選択され、選択した相手先電話番号と当該相手先名前とが検索結果として当該電話端末１０へ送信され、電話端末１０により、この検索結果に含まれる相手先電話番号の相手先名前が、当該電話端末１０で画面表示される。
【００３３】
これにより、相手先電話番号の一部の電話番号を入力するだけで、これに該当する相手先電話番号が検索されて、これら相手先電話番号が、対応する相手先名前により画面表示される。このため、相手先の名前を漢字または仮名で入力することなく、ダイヤルキー操作という極めて簡単な操作で所望の相手先電話番号を検索できるとともに、その検索結果として相手先の名前により画面表示されるため、検索結果に含まれる複数の相手先のうちから、所望の相手先を容易に特定することができる。
【００３４】
特に、ビジネスシーンで用いられる電話システムでは、組織やフロア、さらには建物や事業所ごとに、内線電話番号の上位桁が一致する場合が多い。また、外線電話番号は、市外地域や市内地域に応じて番号計画されている。したがって、相手先電話番号のすべてを思い出すことができないものの、途中まで電話番号が分かる場合には、本実施の形態により、電話番号の上位桁から容易に候補を検索できる。
【００３５】
また、部署、会議室、応接室など、同種の部署や部屋が並設されている場合、部署や部屋の番号の順に内線電話番号が付与されている場合が多く、内線電話番号の上位桁がある程度予想できるものの、例えば、「第１東京営業課」や「東京第１営業課」など、当該部署や部屋の正確な名前が分からずに、電話帳で検索できない場合や検索を繰り返し行う必要がある場合もある。このような場合でも、例えば各「東京営業課」の内線電話番号の上位桁が「２３」で始まることを知っている場合には、本実施の形態により、内線電話番号の上位桁から容易に候補を検索できる。
【００３６】
また、本実施の形態では、電話端末１０において、当該電話端末から発信した相手先電話番号ごとに当該相手先電話番号へ発信した発信回数を計数し、発信履歴情報として記憶部へ保存しておき、検索結果を表示する際、電話端末１０の発信履歴情報に基づいて、相手先の名前を発信回数の多い順に並び替えて画面表示するようにしたので、個々の利用者の使用頻度が高いものから順に相手先名前を画面表示することができ、検索結果に含まれる複数の相手先のうちから、所望の相手先を極めて容易に特定することができる。
【００３７】
また、本実施の形態において、検索結果の相手先名前を表示する順序については、利用者の操作に応じて、検索結果で通知された電話帳ＤＢ２２の検索優先度に基づく表示順序と、発信回数に基づく表示順序とを切り替えるようにしてもよい。これにより、例えば電話帳ＤＢ２２の検索優先度が各電話端末１０での発信回数の総計から求められたものである場合、当該電話端末１０では発信回数が少ない相手先電話番号でも、他の利用者が多く利用している相手先電話番号を優先して表示できる。
【００３８】
［第２の実施の形態］
次に、図７を参照して、本発明の第２の実施の形態にかかる電話番号検索システムについて説明する。図７は、第２の実施の形態にかかる電話番号検索システムの構成を示すブロック図である。
【００３９】
第１の実施の形態では、検索結果に含まれる相手先電話番号を電話端末１０で並び替えする場合を例として説明した。本実施の形態では、検索結果として得られた相手先電話番号を電話帳管理装置２０で並び替える場合について説明する。
【００４０】
本実施の形態では、第１の実施の形態と比較して、電話端末１０に履歴処理部１２が存在しない。また、検索結果表示部１４は、電話帳管理装置２０から受信した検索結果に含まれる相手先電話番号の相手先名前を、当該検索結果で指定された表示順序で、当該電話端末の画面表示部に表示する。
【００４１】
一方、電話帳管理装置２０には、履歴処理部２３が追加されている。この履歴処理部２３は、呼制御装置３０から発信処理を行うごとに通知される発信処理結果に基づき、電話帳ＤＢ２２に各電話端末１０の発信履歴を登録する機能を有している。具体的には、例えば、履歴処理部２３が、呼制御装置３０から通知された発信処理結果に含まれている相手先電話番号に基づいて、各相手先電話番号について、電話端末１０ごとに発信回数を計数し、電話帳ＤＢ２２に登録すればよい。なお、発信処理結果については、呼制御装置３０ではなく各電話端末１０の電話機能部１１から電話帳管理装置２０へ通知するようにしてもよい。
【００４２】
また、電話帳管理装置２０の検索処理部２１は、電話端末１０からの検索要求に応じて、当該検索要求に含まれている検索キー情報に該当する相手先電話番号を電話帳ＤＢ２２から検索する機能と、得られた相手先電話番号のうち当該電話端末の発信回数の多いものから順に指定数だけ選択する機能と、選択した相手先電話番号と当該相手先名前と当該発信回数の多い順に基づく表示順序とを検索結果として当該電話端末へ送信する機能とを有している。
【００４３】
図８は、電話帳ＤＢの他の構成例である。ここでは、相手先電話番号、当該相手先電話番号の相手先名前、および当該相手先電話番号の検索優先度に加え、電話端末ごとの発信回数が組として登録されている。
【００４４】
［第２の実施の形態の動作］
次に、図９を参照して、本実施の形態にかかる電話番号検索システムの動作について説明する。図９は、第２の実施の形態にかかる電話番号検索システムの動作を示すシーケンス図である。ここでは、「Ｅさん」の電話端末１０により、先頭に外線ダイヤル番号「０３」を含む電話番号検索操作が行われた場合を例として説明する。
【００４５】
電話番号検索操作に先立って、電話端末１０でダイヤル発信が行われた場合（ステップ２００）、発信時に電話端末１０と呼制御装置３０との間で各種呼制御メッセージがやり取りされて、電話端末１０と相手電話端末との間で音声通話が開始される。この発信処理に応じて、呼制御装置３０から、発信端末となった電話端末１０の端末ＩＤと相手先電話番号とを含む発信処理結果が、通信網５０を介して電話帳管理装置２０へ通知される（ステップ２０１）。この際、発信処理結果については、呼制御装置３０ではなく電話端末１０の電話機能部１１から電話帳管理装置２０へ通知するようにしてもよい（ステップ２０２）。
【００４６】
電話帳管理装置２０の履歴処理部２３は、この発信処理結果の通知に応じて、電話帳ＤＢ２２に登録されている、この発信処理結果に含まれている相手先電話番号のうち、この発信処理結果に含まれている端末ＩＤと対応する電話端末の発信回数を１回分だけ加算し、電話帳ＤＢ２２に保存する（ステップ２０３）。
【００４７】
この後、電話端末１０の電話機能部１１は、利用者操作に応じて入力されたダイヤル番号「０」を取得するとともに（ステップ２１０）、続くダイヤル番号「３」を取得する（ステップ２１１）。その後、検索ボタンによる検索開始操作に応じて（ステップ２１２）、検索要求部１３は、これらダイヤル番号「０３」からなる検索キー情報と、予め記憶部に設定されている検索要求件数「４」と、自端末を識別するための自端末ＩＤ、例えば自端末の内線番号「２００５」からなる自端末ＩＤとを含む検索要求を、通信網５０を介して電話帳管理装置２０へ送信する（ステップ２１３）。
【００４８】
電話帳管理装置２０の検索処理部２１は、通信網５０を介して電話端末１０から検索要求を受信した場合、当該検索要求に含まれている検索キー情報「０３」が先頭に位置する相手先電話番号を、電話帳ＤＢ２２から検索する（ステップ２１４）。
図８の例では、検索キー情報「０３」が先頭に位置する相手先電話番号として「０３０００１２２２２」と「０３０００１３３３３」の合わせて２件が、電話帳ＤＢ２２から検索される。
【００４９】
この後、検索処理部２１は、得られた相手先電話番号のうち、当該検索要求に含まれている自端末ＩＤと対応する電話端末の発信回数の多いものから順に、当該検索要求に含まれている検索要求件数分を選択し（ステップ２１５）、選択した相手先電話番号について当該発信回数の多い順で表示順序を決定した後（ステップ２１６）、これら相手先電話番号と当該相手先電話番号の相手先名前と表示順序との組からなる検索結果を、通信網５０を介して電話端末１０へ送信する（ステップ２１７）。
図１０は、検索結果の構成例である。ここでは、ステップ２１５で検索された「０３０００１２２２２」と「０３０００１３３３３」の両方が選択され、端末ＩＤ「２００５」の発信回数の多い順、すなわち「０３０００１３３３３」と「０３０００１２２２２」の順に表示順序が決定される。
【００５０】
電話端末１０の検索結果表示部１４は、通信網５０を介して電話帳管理装置２０から受信した検索結果に含まれる各相手先電話番号の相手先名前を、当該検索結果で指定された表示順序で、画面表示部に表示する（ステップ２１８）。
図１１は、検索結果の画面表示例である。ここでは、図１０に示す検索結果で指定された表示順序で、「０３０００１３３３３」と「０３０００１２２２２」の順に画面表示されている。
【００５１】
［第２の実施の形態の効果］
このように、本実施の形態によれば、電話端末１０により、操作入力された１桁以上の電話番号からなる検索キー情報を含む検索要求が電話帳管理装置２０へ送信され、電話帳管理装置２０により、この検索要求に応じて、当該検索要求に含まれている検索キー情報に該当する相手先電話番号が電話帳ＤＢ２２から検索されて、得られた相手先電話番号のうち当該電話端末の発信回数の多いものから順に指定数だけ選択され、これら相手先電話番号と当該相手先名前と当該発信回数の多い順に基づく表示順序とが検索結果として当該電話端末１０へ送信され、電話端末１０により、この検索結果に含まれる相手先電話番号の相手先名前が、当該検索結果で指定された表示順序で、当該電話端末１０で画面表示される。
【００５２】
したがって、第１の実施の形態と同様に、相手先電話番号の一部の電話番号を入力するだけで、これに該当する相手先電話番号が検索されて画面表示される。この際、電話端末１０の発信履歴情報に基づいて、発信回数の多い順に並び替えて、相手先の名前により画面表示される。このため、相手先の名前を漢字または仮名で入力することなく、ダイヤルキー操作という極めて簡単な操作で所望の相手先電話番号を検索できるとともに、その検索結果として使用頻度の高い順に相手先の名前により画面表示されるため、検索結果に含まれる複数の相手先のうちから、所望の相手先を極めて容易に特定することができる。
また、電話端末１０で発信回数を発信履歴情報として保存する必要がなくなるため、電話端末１０での処理負担だけでなく、発信履歴情報の保存に必要となる記憶容量を削減することができる。
【００５３】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【００５４】
また、各実施の形態では、本発明にかかる電話システムが、ＩＰネットワークを介して電話端末が呼制御装置と接続されるＩＰ電話システムである場合を例として説明したが、これに限定されるものではない。例えば専用の内線伝送路で電話端末が主装置に収容されているビジネスホンシステムやＰＢＸシステムなど、ＩＰベースの呼制御プロトコル以外の呼制御技術を用いて、呼制御装置と電話端末とが接続されている電話システムにも、前述と同様にして適用でき、前述と同様の作用効果が得られる。また、電話端末は携帯電話などの無線端末であってもよく、ＰＣなどの通信端末であってもよい。
【００５５】
また、各実施の形態では、電話帳管理装置２０の検索処理部２１において、検索要求に含まれている検索キー情報に該当する相手先電話番号を電話帳ＤＢ２２から検索した後、得られた相手先電話番号のうちから、検索要求で指定された指定数だけ選択する場合を例として説明したが、検索処理の実行方法については、これに限定されるものではない。例えば、検索キー情報に該当する相手先電話番号を指定数だけ一括して検索するようにしてもよい。
【００５６】
また、第２の実施の形態では、各相手先電話番号に関する表示順序を示す情報を検索結果に含めて、電話帳管理装置２０から電話端末１０へ通知する場合を例として説明したが、表示順序の通知方法については、これに限定されるものではない。例えば、相手先電話番号と相手先名前との組を、検索結果に格納する順序で表示順序を電話端末１０へ通知するようにしてもよい。
【００５７】
また、各実施の形態では、電話端末１０において、例えば電話端末１０がアイドル状態で検索キー情報となるダイヤル番号を入力する場合を例として説明したが、特定の操作を行うことによって初めて検索キー情報となるダイヤル番号の受付を開始するようにしてもよい。例えば、図４のステップ１００において、検索キー情報となるダイヤル番号を押下する前に、例えばダイヤル番号以外の特定の電話番号検索開始操作を行う。電話端末１０の電話機能部１１は、この電話番号検索開始操作を検出した時点で、通常動作モードから電話番号検索動作モードへ移行して、この後に入力されるダイヤル番号を検索キー情報として受け付ける。これにより、電話機能部１１は、通常動作モードと電話番号検索動作モードとを明確に区別することができるため、例えば電話番号検索動作モード時に着信が発生しても、電話番号検索動作を強制終了せず、電話番号検索操作を継続させることができる。
【００５８】
また、各実施の形態において、検索要求元の電話端末１０のダイヤル番号が電話帳管理装置２０で得られた検索結果に含まれる場合における処理方法については、いくつかの方法が考えられる。各実施の形態において、以下のような方法を適用すればよい。
第１の方法としては、他のダイヤル番号と同様に特別な処理を行うことなく、検索結果を表示する方法がある。第２の方法としては、電話端末１０の検索結果表示部１４で、電話帳管理装置２０で得られた検索結果に含まれている自己のダイヤル番号を削除して表示する方法がある。第３の方法としては、電話帳管理装置２０の検索処理部２１において、得られた検索結果に含まれている検索要求元電話端末１０のダイヤル番号を削除して検索要求元電話端末１０へ通知する方法がある。この際、検索処理部２１は、電話端末１０からの検索要求に含まれている、当該電話端末１０の端末アドレスや端末ＩＤにより、当該電話端末１０のダイヤル番号を特定すればよい。
【符号の説明】
【００５９】
１…電話番号検索システム、１０…電話端末、１１…電話機能部、１２…履歴処理部、１３…検索要求部、１４…検索結果表示部、２０…電話帳管理装置、２１…検索処理部、２２…電話帳ＤＢ、２３…履歴処理部、３０…呼制御装置、５０…通信網。
【図１】
0005413088.tif 000002
【図２】
0005413088.tif 000003
【図３】
0005413088.tif 000004
【図４】
0005413088.tif 000005
【図５】
0005413088.tif 000006
【図６】
0005413088.tif 000007
【図７】
0005413088.tif 000008
【図８】
0005413088.tif 000009
【図９】
0005413088.tif 000010
【図１０】
0005413088.tif 000011
【図１１】
0005413088.tif 000012